(57)【要約】【課題】男性用失禁パッド包装体から男性用失禁パッドを取り出した際に、使用者が容易にその使用方法が分かるように男性用失禁パッドが包装された男性用失禁パッド包装体を提供する。【解決手段】長手方向と幅方向を有する男性用失禁パッド１が被覆シート３２で包まれた男性用失禁パッド包装体３１であって、男性用失禁パッド１は、長手方向に折り畳まれることにより山折りと谷折りが形成されたプリーツ部を有するアウター部材を有し、男性用失禁パッド１は、長手方向に延びる第１折り目２１で折り返され、さらに幅方向に延びる第２折り目２２で折り返され、被覆シート３２は、男性用失禁パッド１を包んだ状態で、長手方向に分離可能に形成されている。【選択図】図７
2013158450.tif 000002
【特許請求の範囲】
【請求項１】
長手方向と幅方向を有する男性用失禁パッドが被覆シートで包まれた男性用失禁パッド包装体であって、
前記男性用失禁パッドは、長手方向に折り畳まれることにより山折りと谷折りが形成されたプリーツ部を有するアウター部材を有し、
前記男性用失禁パッドは、長手方向に延びる第１折り目と幅方向に延びる第２折り目を有し、前記第１折り目の一方側であって前記第２折り目の一方側を第１部分とし、前記第１折り目の一方側であって前記第２折り目の他方側を第２部分とし、前記第１折り目の他方側であって前記第２折り目の一方側を第３部分とし、前記第１折り目の他方側であって前記第２折り目の他方側を第４部分としたとき、前記男性用失禁パッドは、前記第１折り目で折り返され、さらに前記第２折り目で前記第３部分と前記第４部分が内側になるように折り返され、
前記被覆シートは、前記男性用失禁パッドを包んだ状態で、前記長手方向に分離可能に形成されていることを特徴とする男性用失禁パッド包装体。
【請求項２】
前記被覆シートは切断可能線を有し、これにより前記被覆シートが前記長手方向に分離可能に形成されている請求項１に記載の男性用失禁パッド包装体。
【請求項３】
前記アウター部材には、前記プリーツ部よりも長手方向の外方に、前記被覆シートと剥離可能に接合された粘着部が設けられ、
前記切断可能線は、前記男性用失禁パッドの前記粘着部よりも長手方向の内方に位置するように形成されている請求項２に記載の男性用失禁パッド包装体。
【請求項４】
前記男性用失禁パッド包装体は、前記被覆シートが前記男性用失禁パッドの前記第１部分と前記第２部分と前記第３部分と前記第４部分の外面側に重ねられた状態で、前記被覆シートが前記男性用失禁パッドとともに前記第１折り目と前記第２折り目で折り返されている請求項２または３に記載の男性用失禁パッド包装体。
【請求項５】
前記被覆シートは、前記男性用失禁パッドを包んだ状態で、前記第１折り目に面する第１端縁と、前記第２折り目に面する第２端縁と、前記第１端縁と前記幅方向に対して反対側にある第３端縁と、前記第２端縁と前記長手方向に対して反対側にある第４端縁を有し、
前記切断可能線は、前記第１端縁から前記第２または第３端縁にかけて延びている請求項４に記載の男性用失禁パッド包装体。
【請求項６】
前記被覆シートは、前記第１部分の外面側を覆う第１面と前記第２部分の外面側を覆う第２面と前記第３部分の外面側を覆う第３面と前記第４部分の外面側を覆う第４面を有し、
前記切断可能線が、前記被覆シートの前記第１面から前記第３面に延びて形成されるとともに、前記被覆シートの前記第２面から前記第４面に延びて形成されている請求項４または５に記載の男性用失禁パッド包装体。
【請求項７】
前記男性用失禁パッド包装体は、前記第１折り目と前記第２折り目で折り返された前記男性用失禁パッドが、前記第１部分の外面側と前記第２部分の外面側を覆うように前記被覆シートで包まれている請求項２または３に記載の男性用失禁パッド包装体。
【請求項８】
前記男性用失禁パッドの前記第３部分の外面側および／または前記第４部分の外面側に粘着部が設けられ、
前記第３部分と前記第４部分の間に前記粘着部と剥離可能な中間シートが設けられている請求項７に記載の男性用失禁パッド包装体。
【請求項９】
前記被覆シートは、前記男性用失禁パッドを包んだ状態で、前記第１折り目に面する第１端縁と、前記第２折り目に面する第２端縁と、前記第１端縁と前記幅方向に対して反対側にある第３端縁と、前記第２端縁と前記長手方向に対して反対側にある第４端縁を有し、
前記切断可能線が、前記第１端縁から前記第３端縁にかけて、あるいは、前記第１または第３端縁から前記第２または第４端縁にかけて延びている請求項７または８に記載の男性用失禁パッド包装体。
【請求項１０】
前記アウター部材には、前記第２折り目の両側に前記プリーツ部が各々設けられている請求項１〜９のいずれか一項に記載の男性用失禁パッド包装体。
【請求項１１】
前記男性用失禁パッドは、前記アウター部材の肌面側に吸収体が備えられ、前記吸収体が内側になるように前記第１折り目で折り返され、
前記吸収体は、長手方向の端縁近傍が前記第１折り目の両側で接合されている請求項１〜１０のいずれか一項に記載の男性用失禁パッド包装体。
【請求項１２】
前記男性用失禁パッドは、前記アウター部材の肌面側に吸収体が備えられ、前記吸収体が内側になるように前記第１折り目で折り返され、
前記吸収体は、長手方向の端縁に前記第１折り目を跨いで切欠きが形成されている請求項１〜１１のいずれか一項に記載の男性用失禁パッド包装体。
【発明の詳細な説明】
【技術分野】
【０００１】
本発明は、男性用失禁パッドが被覆シートに包まれた男性用失禁パッド包装体に関するものである。
【背景技術】
【０００２】
従来、男性器に宛がって用いられる男性用の失禁パッドが知られている。例えば特許文献１には、一の方向に沿って形成された少なくとも２本の折り曲げ線によって襞状に折り畳まれた男性用失禁パッドが開示され、この男性用失禁パッドは、使用時には折り畳み状態を解除して肌面側に凹状の空間が形成できるようになっている。さらに特許文献１には、当該男性用失禁パッドを包装袋に包装した男性用失禁パッド包装体も開示されている。
【先行技術文献】
【特許文献】
【０００３】
【特許文献１】特開２０１０−１７２６５０号公報
【発明の概要】
【発明が解決しようとする課題】
【０００４】
男性用失禁パッドはまだ広く普及しておらず、その使用方法は一般の人に周知されているものではない。特に、特許文献１に開示されるような使用前に折り畳まれている男性用失禁パッドでは、包装袋から男性用失禁パッドを取り出した際、男性用失禁パッドの折り畳みをどのように展開すればよいか使用者が迷う場面がある。
【０００５】
本発明は前記事情に鑑みてなされたものであり、その目的は、男性用失禁パッド包装体から男性用失禁パッドを取り出した際に、使用者が容易にその使用方法が分かるように男性用失禁パッドが包装された男性用失禁パッド包装体を提供することにある。
【課題を解決するための手段】
【０００６】
前記課題を解決することができた本発明の男性用失禁パッド包装体とは、長手方向と幅方向を有する男性用失禁パッドが被覆シートで包まれた男性用失禁パッド包装体であって；男性用失禁パッドは、長手方向に折り畳まれることにより山折りと谷折りが形成されたプリーツ部を有するアウター部材を有し；男性用失禁パッドは、長手方向に延びる第１折り目と幅方向に延びる第２折り目を有し、第１折り目の一方側であって第２折り目の一方側を第１部分とし、第１折り目の一方側であって第２折り目の他方側を第２部分とし、第１折り目の他方側であって第２折り目の一方側を第３部分とし、第１折り目の他方側であって第２折り目の他方側を第４部分としたとき、男性用失禁パッドは、第１折り目で折り返され、さらに第２折り目で第３部分と第４部分が内側になるように折り返され；被覆シートが、男性用失禁パッドを包んだ状態で、長手方向に分離可能に形成されているところに特徴を有する。
【０００７】
本発明の男性用失禁パッド包装体は、被覆シートを開封する際に被覆シートを男性用失禁パッドとともに長手方向に引っ張って長手方向に分離することで、男性用失禁パッドのプリーツ部を展開することができる。プリーツ部が展開された男性用失禁パッドは、第２折り目と第１折り目を展開するとカップ状に形成することができるため、使用者はその使用方法を容易に理解できる。
【０００８】
被覆シートは切断可能線を有し、これにより被覆シートが長手方向に分離可能に形成されていることが好ましい。被覆シートに切断可能線を設けることにより、被覆シートを長手方向に容易に分離することができる。
【０００９】
アウター部材には、プリーツ部よりも長手方向の外方に、被覆シートと剥離可能に接合された粘着部が設けられ、切断可能線は、男性用失禁パッドの粘着部よりも長手方向の内方に位置するように形成されていることが好ましい。このように男性用失禁パッド包装体が形成されていれば、被覆シートを長手方向に引っ張って切断可能線で分離する際、男性用失禁パッドの長手方向の端部が被覆シートとともに長手方向に引っ張られて、プリーツ部を自然に展開しやすくなる。
【００１０】
アウター部材には、第２折り目の両側にプリーツ部が各々設けられていることが好ましい。このようにプリーツ部が設けられていれば、被覆シートを男性用失禁パッドとともに長手方向に引っ張った際に、男性用失禁パッドの第２折り目を挟んだ両側がともに長手方向に延びて、被覆シートを長手方向に分離させながらプリーツ部を展開することが容易になる。
【００１１】
本発明の男性用失禁パッド包装体は、被覆シートが男性用失禁パッドの第１部分と第２部分と第３部分と第４部分の外面側に重ねられた状態で、被覆シートが男性用失禁パッドとともに第１折り目と第２折り目で折り返されて形成されていることが好ましい。このように男性用失禁パッド包装体が形成されれば、男性用失禁パッド包装体を形成することが容易になる。このように形成された男性用失禁パッド包装体では、被覆シートが、男性用失禁パッドを包んだ状態で、第１折り目に面する第１端縁と、第２折り目に面する第２端縁と、第１端縁と幅方向に対して反対側にある第３端縁と、第２端縁と長手方向に対して反対側にある第４端縁を有し、切断可能線が、第１端縁から第２または第３端縁にかけて延びていることが好ましい。切断可能線がこのように形成されていれば、被覆シートを長手方向に引っ張って切断可能線で長手方向に分離する際に、プリーツ部を容易に展開することができる。また、被覆シートが、第１部分の外面側を覆う第１面と第２部分の外面側を覆う第２面と第３部分の外面側を覆う第３面と第４部分の外面側を覆う第４面を有し、切断可能線が、被覆シートの第１面から第３面に延びて形成されるとともに、被覆シートの第２面から第４面に延びて形成されていることが好ましい。その結果、被覆シートを切断可能線で分離しやすくなるとともに、男性用失禁パッドを被覆シートから取り出すことが容易となる。
【００１２】
本発明の男性用失禁パッド包装体は、第１折り目と第２折り目で折り返された男性用失禁パッドが、第１部分の外面側と第２部分の外面側を覆うように被覆シートで包まれていてもよい。このように形成された男性用失禁パッド包装体では、男性用失禁パッドの第３部分の外面側および／または第４部分の外面側に粘着部が設けられる場合、第３部分と第４部分の間に粘着部と剥離可能な中間シートが設けられることが好ましい。中間シートが設けられることにより、第３部分と第４部分とが粘着部によって互いに接着するのが防止される。また被覆シートが、男性用失禁パッドを包んだ状態で、第１折り目に面する第１端縁と、第２折り目に面する第２端縁と、第１端縁と幅方向に対して反対側にある第３端縁と、第２端縁と長手方向に対して反対側にある第４端縁を有し、切断可能線が、第１端縁から第３端縁にかけて、あるいは、第１または第３端縁から第２または第４端縁にかけて延びていることが好ましい。切断可能線がこのように形成されていれば、被覆シートを長手方向に引っ張って切断可能線で長手方向に分離する際に、プリーツ部を容易に展開することができる。
【００１３】
男性用失禁パッドは、アウター部材の肌面側に吸収体が備えられ、吸収体が内側になるように第１折り目で折り返され、吸収体は、長手方向の端縁近傍が第１折り目の両側で接合されていることが好ましい。このように吸収体が形成されていれば、男性用失禁パッドを男性用失禁パッド包装体から取り出して、男性用失禁パッドの第１折り目と第２折り目を展開した際、吸収体がカップ状（船底状）に形成されて、吸収体の男性器へのフィット性を高めやすくなる。
【００１４】
男性用失禁パッドは、アウター部材の肌面側に吸収体が備えられ、吸収体が内側になるように第１折り目で折り返され、吸収体は、長手方向の端縁に第１折り目を跨いで切欠きが形成されていることが好ましい。吸収体に第１折り目を跨いで切欠きが形成されていれば、第１折り目を利用して吸収体をカップ状に形成しやすくなり、吸収体の男性器へのフィット性を高めることができる。
【発明の効果】
【００１５】
本発明の男性用失禁パッド包装体は、被覆シートを開封する際に被覆シートを男性用失禁パッドとともに長手方向に引っ張って長手方向に分離することで、男性用失禁パッドのプリーツ部を展開することができる。従って、使用者は、男性用失禁パッド包装体から男性用失禁パッドを取り出した際に男性用失禁パッドのプリーツ部が展開されることによって、男性用失禁パッドの使用方法を容易に理解できる。
【図面の簡単な説明】
【００１６】
【図１】本発明の男性用失禁パッド包装体に用いられる男性用失禁パッドの一例を表し、男性用失禁パッドを外面側から見た平面図を表す。
【図２】図１に示した男性用失禁パッドを肌面側から見た平面図を表す。
【図３】図１に示した男性用失禁パッドのＡ−Ａ断面図を表す。
【図４】図１に示した男性用失禁パッドをカップ状に形成し、外面側から見た斜視図を表す。
【図５】図１および図２に示した男性用失禁パッドの折り畳み方法を表す。
【図６】男性用失禁パッド包装体の平面図を表す。
【図７】男性用失禁パッド包装体の形成方法の一例を表す。
【図８】図７に示した男性用失禁パッド包装体の形成方法の変形例を表す。
【図９】男性用失禁パッド包装体の形成方法の他の例を表す。
【図１０】図１０（ａ）は男性用失禁パッド包装体の開封方法を表し、図１０（ｂ）は男性用失禁パッド包装体を開封した際に男性用失禁パッドのプリーツ部が展開される様子を表す。
【発明を実施するための形態】
【００１７】
本発明の男性用失禁パッド包装体は、男性用失禁パッドが被覆シートで包まれたものである。男性用失禁パッドは男性器に宛がって用いられ、男性用失禁パッドを装着することにより失禁による尿漏れを防ぐことができる。
【００１８】
本発明で用いられる男性用失禁パッドはプリーツによって折り畳まれたアウター部材を有しており、装着の際は、プリーツを展開することにより男性用失禁パッドをカップ状に形成し、男性器に好適に宛がうことができる。本発明の男性用失禁パッド包装体は、男性用失禁パッド包装体から男性用失禁パッドを取り出す際に男性用失禁パッドのプリーツを自然に展開することができ、男性用失禁パッドをカップ状に容易に形成することができる。
【００１９】
まず、本発明で用いられる男性用失禁パッドの構成について、図面を参照して説明する。なお本発明で使用される男性用失禁パッドは、図面に示された実施態様に限定されるものではない。
【００２０】
図１〜図４には、本発明の男性用失禁パッドの一例を示す。図１は男性用失禁パッドを外面側から見た平面図を表し、図２は図１に示した男性用失禁パッドを肌面側から見た平面図を表し、図３は図１のＡ−Ａ断面図を表し、図４はカップ状に形成した男性用失禁パッドを外面側から見た斜視図を表す。なお、本発明の図面では、矢印ｘが幅方向、矢印ｙが長手方向を表し、矢印ｘ，ｙにより形成される面に対して垂直方向が厚み方向ｚを表す。
【００２１】
男性用失禁パッド１は、長手方向ｙと幅方向ｘを有する。男性用失禁パッド１は、男性用失禁パッドを着用する際、長手方向ｙを着用者の股間の前後方向（上下方向）に合わせ、幅方向ｘを着用者の左右方向に合わせて着用することが好ましい。また本発明において、肌面側とは、男性用失禁パッドを着用する際に着用者の肌に向く側を意味し、外面側とは、着用者とは反対に向く側を意味する。
【００２２】
男性用失禁パッド１は、構成部材として少なくともアウター部材２を有する。アウター部材２は、長手方向ｙに折り畳まれることにより山折り４と谷折り５が形成されたプリーツ部３を有している。男性用失禁パッド１は、使用前は、図１や図２に示すようにアウター部材２が平面状に形成される。すなわち、アウター部材２のプリーツ部３が折り畳まれた状態に形成される。使用時には、男性用失禁パッド１は、図４に示すようにアウター部材２のプリーツ部３を展開して、アウター部材２をカップ状に形成して用いることが好ましい。つまり、男性用失禁パッド１は、使用の際、カップ形状の内部に男性器を収容して着用することが好ましい。なお、カップ形状とは一方側に膨らんだ形状を意味し、例えば、カップ形状の開口が同一平面に形成される必要はない。
【００２３】
アウター部材２のプリーツ部３は、幅方向ｘの両端が固定されていることが好ましい。具体的には、アウター部材２は、幅方向ｘの両端で、山折り４を挟んだ両側および谷折り５を挟んだ両側が接合されていることが好ましい。このようにプリーツ部３が形成されていれば、プリーツ部３の折り畳みを展開すると、図４に示されるように、アウター部材２をカップ状に形成しやすくなる。プリーツ部３の幅方向ｘの両端は、接着剤、熱融着、超音波融着等の公知の接合手段により固定（接合）されればよい。
【００２４】
本発明において、山折り４と谷折り５はアウター部材２の外面側から見て定められるものとする。また、プリーツ部３とは、図１や図２に示すようにアウター部材２が平面状に形成された状態で、アウター部材２のうち、折り畳まれて重ねられた部分の山折り４から谷折り５に至る部分およびそれと重なる部分を意味する。
【００２５】
図１では、プリーツ部３が長手方向ｙの両側に２つずつ設けられている。各プリーツ部３は、アウター部材２が長手方向ｙに折り畳まれて形成される。この際、各プリーツ部３は、少なくとも１つずつ形成された山折り４と谷折り５で折られることにより形成される。
【００２６】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００２７】
アウター部材２が、男性器を好適に収容できるようなカップ状に形成されるためには、図１に示すように、アウター部材２の長手方向ｙの両側に、プリーツ部３が各々設けられていることが好ましい。このようにプリーツ部３が設けられることにより、陰茎と陰嚢の両方を好適に収容しやすくなる。
【００２８】
各プリーツ部３は、長手方向ｙの中心側にまず山折り４が設けられるように形成されることが好ましい。具体的には、プリーツ部３を展開した状態で、各プリーツ部３には、長手方向ｙの中心側にまず山折り４が形成されることが好ましい。図１では、長手方向ｙの中心側にまず山折り４が設けられ、次いで、長手方向ｙの外方に谷折り５が設けられている。このようにプリーツ部３が形成されていれば、男性用失禁パッド１を男性器を収容してパンツの内側に固定した際、パンツの外側から見てプリーツ部３の折り目が分かりにくくなり、男性用失禁パッド１を装着することの心理的負荷が低減する。
【００２９】
アウター部材２の外面側には、粘着部が設けられることが好ましい。アウター部材２の外面側に粘着部が設けられていれば、男性用失禁パッド１を着用者のパンツの内側に好適に固定できるようになる。粘着部は、アウター部材２に粘着剤が塗布されたり、粘着テープが貼り付けられることにより形成されればよい。好ましくは粘着部はプリーツ部３よりも長手方向ｙの外方に設けられ、図１では、粘着部７がプリーツ部３よりも長手方向ｙの外方に設けられている。
【００３０】
アウター部材２の形状（プリーツ部３が折り畳まれた状態での形状）は特に限定されない。アウター部材２の形状は、図１や図２に示すように角の丸まった四角形の形状であってもよく、また円形、楕円形、任意の多角形（角の丸まった多角形を含む）等であってもよい。なお、図１や図２に示すように、アウター部材２が長手方向ｙの外方に向かって幅方向ｘの長さが漸減するように形成されていれば、男性用失禁パッド１が着用者の股間でコンパクトに収まりやすくなる。また、アウター部材２は幅方向ｘに（すなわち、長手方向ｙに延びる中心線に対し）線対称に形成されることが好ましく、さらに、アウター部材２は長手方向ｙに（すなわち、幅方向ｘに延びる中心線に対し）線対称に形成されることも好ましい。
【００３１】
アウター部材は、親水性であっても液不透過性であってもよい。アウター部材は、１つの層から構成されていてもよく、複数の層から構成されていてもよい。例えば、アウター部材には肌面側に親水性層を有していてもよく、この場合、アウター部材の親水性層によって着用者から排泄された尿が吸収されるようになる。また、アウター部材は外面側に液不透過層を有していてもよく、この場合、アウター部材の液不透過層によって尿が外部に漏れるのが防止される。アウター部材は、吸収性材料を含有していてもよい。好ましくは、アウター部材は、肌面側に親水性層を有し外面側に液不透過層を有する積層体であるか、液不透過層のみから構成される。少なくとも後者の場合は、アウター部材２の肌面側に尿を吸収するための吸収体が設けられることが好ましい。図１〜図４では、アウター部材２の肌面側に吸収体１０が設けられている。
【００３２】
アウター部材を構成する材料としては、不織布、織布、編布、プラスチックフィルム、およびこれらの積層体等を使用できる。アウター部材の材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、レーヨン等の再生繊維、セルロース、コットン等の天然繊維を用いればよい。アウター部材の材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。アウター部材の材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。
【００３３】
アウター部材は水解性であってもよい。水解性とは、水洗トイレ等で水に流した際に分散あるいは溶解してその原形が失われる性質を意味する。従って、アウター部材が水解性であれば、アウター部材を通常の水洗トイレ等に流して廃棄することが可能となる。
【００３４】
アウター部材が水解性を有するためには、アウター部材が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００３５】
アウター部材は生分解性であってもよい。生分解性とは、微生物等の生物によって分解可能であることを意味する。アウター部材が生分解性であれば、アウター部材を水洗トイレに流して廃棄した際、下水処理場等で活性汚泥処理等が施されて、アウター部材が好適に二酸化炭素や汚泥等に分解され得る。
【００３６】
男性用失禁パッド１は、図１〜図４に示すように、アウター部材２の肌面側に吸収体１０が備えられることが好ましい。男性用失禁パッド１に吸収体１０が備えられていれば、着用者から排泄された尿を好適に吸収することができる。吸収体１０は、男性用失禁パッド１の使用の際にアウター部材２がカップ状に形成されると、図４に示すように、カップ状に形成されたアウター部材２の内側に収められることが好ましい。
【００３７】
図１〜図３では、吸収体１０はアウター部材２に固定部６で固定されている。つまり、吸収体１０は、男性用失禁パッド１の使用前からアウター部材２に固定されている。吸収体１０は、接着剤等の固定手段によりアウター部材２に固定されればよい。
【００３８】
固定部６はプリーツ部３以外の場所に設けられることが好ましい。従って、吸収体１０は、アウター部材２のプリーツ部３以外の部分に固定され、プリーツ部３には固定されていないことが好ましい。さらに、吸収体１０は、プリーツ部３を跨いでアウター部材２に固定されていないことが好ましい。このように吸収体１０がアウター部材２に固定されていれば、男性用失禁パッド１の着用の際、プリーツ部３の折り畳みを展開しやすくなる。
【００３９】
固定部６は、アウター部材２の長手方向ｙの中心付近に設けられることが好ましい。また、アウター部材２には、固定部６の長手方向ｙの両側にプリーツ部３が各々設けられていることが好ましい。このように男性用失禁パッド１が形成されていれば、アウター部材２のプリーツ部３の折り畳みを展開することにより、男性用失禁パッド１を、吸収体１０が内側に収められたカップ状に形成しやすくなる。
【００４０】
なお、図には示されていないが、吸収体１０は、アウター部材２に固定されていなくてもよい。例えば、男性用失禁パッド１の使用前、すなわち男性用失禁パッド１が被覆シートで包まれた男性用失禁パッド包装体では、吸収体１０はアウター部材２に固定されずに単に重ねられていてもよい。また、吸収体１０がアウター部材２に対して着脱可能に形成されていてもよい。
【００４１】
吸収体１０の形状は特に限定されない。吸収体１０の形状は、例えば、円形、楕円形、多角形（角の丸まった多角形を含む）、砂時計形等が挙げられる。好ましくは、吸収体１０は幅方向ｘに（すなわち、長手方向ｙに延びる中心線に対し）線対称に形成される。さらに、吸収体１０は、長手方向ｙに（すなわち、幅方向ｘに延びる中心線に対し）線対称に形成されることも好ましい。
【００４２】
吸収体１０は、アウター部材２に対し、次のように形成されていることが好ましい。すなわち、吸収体１０は、アウター部材２のプリーツ部３が折り畳まれた状態で、長手方向ｙに対しアウター部材２と同じかそれよりも長く形成され、アウター部材２のプリーツ部３が展開した状態で、長手方向ｙに対しアウター部材２よりも短く形成されていることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウター部材２の長手方向ｙの長さは、プリーツ部３の幅方向ｘの両端の接合を解いた状態で測定する。吸収体１０がアウター部材２に対しこのような関係で形成されていれば、カップ状に形成されたアウター部材２の内側に吸収体１０が好適に保持されやすくなる。また、吸収体１０の大きさが十分確保され、吸収体１０により着用者から排泄された尿が好適に吸収されるようになる。なお、吸収体１０は、幅方向ｘに対しては、アウター部材２と同じかそれよりも短く形成されていることが好ましい。
【００４３】
吸収体１０には、図２に示されるように、長手方向ｙの端縁に切欠き１１が形成されていることが好ましい。より好ましくは、切欠き１１は、吸収体１０の長手方向ｙの両端縁に形成される。吸収体１０の長手方向ｙの端縁に切欠き１１が形成されていれば、吸収体１０をカップ状に形成しやすくなる。すなわち、吸収体１０を幅方向ｘに折り曲げることで、カップ状に形成されたアウター部材２の肌側面に沿うように吸収体１０を形成することが容易となる。そのため、吸収体１０がカップ状に形成されたアウター部材２の内側に好適に収められるようになる。
【００４４】
切欠き１１の形状としては、切欠き１１は略Ｖ字状に形成されていることが好ましい。すなわち、切欠き１１は、吸収体１０の長手方向ｙの端縁から内方に向かって幅方向ｘの長さが漸減するように形成されていることが好ましい。
【００４５】
吸収体１０には、幅方向ｘの端縁に切欠き１２が形成されていることも好ましい。より好ましくは、切欠き１２は、吸収体１０の幅方向ｘの両端縁に形成される。吸収体１０の幅方向ｘの端縁に切欠き１２が形成されていれば、吸収体１０を長手方向ｙに折り曲げやすくなる。従って、吸収体１０の男性器へのフィットが向上し、男性器が吸収体１０によって好適に覆われるようになる。その結果、着用者から排泄された尿を吸収体１０がより確実に受けることができるようになる。
【００４６】
切欠き１２の形状としては、切欠き１２は略Ｖ字状に形成されていることが好ましい。すなわち、切欠き１２は、吸収体１０の幅方向ｘの端縁から内方に向かって長手方向ｙの長さが漸減するように形成されていることが好ましい。
【００４７】
吸収体は、尿を吸収できる材料から構成されていればよい。吸収体としては、例えば、（ｉ）吸収性材料をシート部材で覆ったもの、（ｉｉ）シート状の吸収性材料を所望形状に形成したもの、等を用いることができる。吸収性材料としては、前記（ｉ）の場合、例えば、粉砕したパルプ繊維、セルロース繊維等の親水性繊維；ポリアクリル酸系、ポリアスパラギン酸系、セルロース系、デンプン・アクリロニトリル系等の吸水性樹脂等を用いることができ、前記（ｉｉ）の場合、例えば、発泡ポリマー；ケミカルボンド不織布、エアレイド不織布、エアスルー不織布、スパンレース不織布等の液保持性の高い不織布等を用いることができる。前記（ｉ）の場合、シート部材の少なくとも一部は液透過性であり、液透過性のシート部材としては、紙（例えば、ティッシュペーパーや薄葉紙）や親水性不織布等を用いることができる。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。前記（ｉｉ）の場合も、シート状の吸収性材料がシート部材により覆われてもよい。
【００４８】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００４９】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００５０】
次に、男性用失禁パッド包装体について説明する。本発明の男性用失禁パッド包装体は、男性用失禁パッドが４つ折りされて、男性用失禁パッドが被覆シートに包まれている。男性用失禁パッドの折り畳み方法について、図５を用いて説明する。図５には、図１および図２に示した男性用失禁パッド１を折り畳む方法について示した。
【００５１】
男性用失禁パッド１は、長手方向ｙに延びる第１折り目２１と幅方向ｘに延びる第２折り目２２を有し、第１折り目２１で折り返され、さらに第２折り目２２で折り返されることにより４つ折りされている。この際、男性用失禁パッド１は、第１折り目２１で肌面側が内側になるように折り返されることが好ましく、このように第１折り目２１で折り返されることにより、男性用失禁パッド１を使用する際に、第１折り目２１を利用して男性用失禁パッド１を肌面側を内側にしたカップ形状に形成しやすくなる。
【００５２】
男性用失禁パッド１は、第１折り目２１と第２折り目２２によって、便宜的に次のように区分されるものとする。すなわち、第１折り目２１の一方側であって第２折り目２２の一方側を第１部分２３とし、第１折り目２１の一方側であって第２折り目２２の他方側を第２部分２４とし、第１折り目２１の他方側であって第２折り目２２の一方側を第３部分２５とし、第１折り目２１の他方側であって第２折り目２２の他方側を第４部分２６とする。男性用失禁パッド１を第２折り目２２で折り返す際は、第３部分２５と第４部分２６が内側になるように折り返されるものとする。従って４つ折りされた男性用失禁パッド１では、第３部分２５の外側に第１部分２３が重ねられ、第４部分２６の外側に第２部分２４が重ねられることとなる。
【００５３】
第１折り目２１は、男性用失禁パッド１の幅方向ｘの中心線と一致することが好ましい。このように第１折り目２１が設けられていれば、折り畳んだ男性用失禁パッド１がコンパクトになる。また、男性用失禁パッド１を使用する際は、第１折り目２１に基づいて男性用失禁パッド１の幅方向ｘの中心を容易に認識することができ、男性用失禁パッド１を適切に装着しやすくなる。
【００５４】
第２折り目２２は、男性用失禁パッド１の長手方向ｙの中心線と一致することが好ましい。このように第２折り目２２が設けられていれば、折り畳んだ男性用失禁パッド１がコンパクトになる。また、被覆シートから男性用失禁パッド１を取り出す際に、男性用失禁パッド１の長手方向ｙの両端部を同時につまみやすくなり、男性用失禁パッド１を被覆シートから取り出しやすくなる。
【００５５】
図６には、男性用失禁パッド包装体の平面図を示した。図６に示した男性用失禁パッド包装体３１は、図１および図２に示した男性用失禁パッド１が４つ折りされて、男性用失禁パッド１が被覆シート３２に包まれている。なお被覆シート３２は、男性用失禁パッド１を包んだ状態で、第１折り目２１に面する端縁を第１端縁３７と規定し、第２折り目２２に面する端縁を第２端縁３８と規定し、第１端縁３７と幅方向ｘに対して反対側にある端縁を第３端縁３９と規定し、第２端縁３８と長手方向ｙに対して反対側にある端縁を第４端縁４０と規定する。すなわち、被覆シート３２は、男性用失禁パッド１を包んだ状態で、第１折り目２１に面する第１端縁３７と、第２折り目２２に面する第２端縁３８と、第１端縁３７と幅方向ｘに対して反対側にある第３端縁３９と、第２端縁３８と長手方向ｙに対して反対側にある第４端縁４０を有する。なお、第１端縁３７〜第４端縁４０は直線状に形成されてもよく、曲線状に形成されてもよい。例えば、後述する図７に示した男性用失禁パッド包装体３１Ａでは、第１端縁３７と第２端縁３８は直線状に形成されるが、第３端縁３９と第４端縁４０は直線状であっても曲線状であってもよい。
【００５６】
男性用失禁パッド包装体３１では、被覆シート３２が男性用失禁パッド１の第１部分２３の外面側と第２部分２４の外面側を覆うように設けられればよく、男性用失禁パッド包装体３１は、例えば次に説明するように男性用失禁パッド１が被覆シート３２で包まれて形成される。
【００５７】
図７には、男性用失禁パッド包装体の形成方法の例を示した。図７に示した男性用失禁パッド包装体３１（３１Ａ）では、被覆シート３２が男性用失禁パッド１の第１部分２３と第２部分２４と第３部分２５と第４部分２６の外面側に重ねられた状態で、被覆シート３２が男性用失禁パッド１とともに第１折り目２１と第２折り目２２で折り返されている。つまり、男性用失禁パッド包装体３１Ａは、図７（ａ）に示すように被覆シート３２が男性用失禁パッド１の第１部分２３と第２部分２４と第３部分２５と第４部分２６の外面側に重ねられた状態で、被覆シート３２が男性用失禁パッド１とともに第１折り目２１で折り返された後、図７（ｂ）に示すように第２折り目２２で折り返されることにより、形成されている。その結果、男性用失禁パッド１が被覆シート３２で包まれる。男性用失禁パッド包装体３１Ａでは、被覆シート３２が男性用失禁パッドの第１部分２３の外面側と第２部分２４の外面側とともに、第３部分２５の外面側と第４部分２６の外面側を覆っている。
【００５８】
男性用失禁パッド包装体３１Ａは、第２折り目２２で折り返された被覆シート３２の長手方向ｙの端部どうしが、接着剤、熱融着、超音波融着等の公知の接合手段により接合されることが好ましい。すなわち、第４端縁４０で、第２折り目２２で折り返された被覆シート３２の一方側と他方側とが接合されることが好ましい。一方、被覆シート３２は、第１折り目２１で折り返されることにより重ねられた幅方向ｘの端部どうしは、接合手段によって接合されていても接合されなくてもよい。男性用失禁パッド包装体３１Ａでは、例えば、後述するように切断可能線４１が第１端縁３７から第３端縁３９にかけて形成される場合は、被覆シート３２は第３端縁３９で接合されないことが好ましく、このように被覆シート３２が形成されることにより、被覆シート３２を長手方向ｙに分離した際に男性用失禁パッド１を被覆シート３２から取り出すことが容易になる。
【００５９】
図８には、図７に示した男性用失禁パッド包装体の形成方法の変形例を示した。図８に示した男性用失禁パッド包装体３１（３１Ｂ）も、被覆シート３２が男性用失禁パッド１の第１部分２３と第２部分２４と第３部分２５と第４部分２６の外面側に重ねられた状態で、被覆シート３２が男性用失禁パッド１とともに第１折り目２１と第２折り目２２で折り返されている。しかし男性用失禁パッド包装体３１Ｂでは、図８（ａ）に示すように、被覆シート３２が男性用失禁パッド１とともに第１折り目２１で折り返された後、被覆シート３２のみが長手方向ｙに延びる折り目２７で折り返され、その後に、図８（ｂ）に示すように被覆シート３２が男性用失禁パッド１とともに第２折り目２２で折り返されている。
【００６０】
男性用失禁パッド包装体３１Ｂは、第４端縁４０で、第２折り目２２で折り返された被覆シート３２の一方側と他方側とが接合されることが好ましい。なお、男性用失禁パッド１を長手方向ｙに延びる折り目２１，２７で折り返す際は、重なり合った被覆シート３２どうしが互いに接合されないことが好ましく、その結果、被覆シート３２を長手方向ｙに分離した際に男性用失禁パッド１を被覆シート３２から取り出すことが容易になる。
【００６１】
図７や図８では、被覆シート３２が男性用失禁パッド１とともに第１折り目２１で折り返されているため、男性用失禁パッド包装体３１を形成することが容易になる。なお図面には示されていないが、被覆シート３２が男性用失禁パッド１とともに第１折り目２１で折り返されずに、男性用失禁パッド包装体が形成されてもよい。例えば、第１折り目で２つ折りにした男性用失禁パッドを被覆シートに重ね、男性用失禁パッドの幅方向の端部側で（すなわち第１折り目とは反対側の縁に沿って）被覆シートを折り返して、２つ折りにした男性用失禁パッドを被覆シートで挟んだ後、被覆シートを男性用失禁パッドとともに第２折り目で折り返して、男性用失禁パッド包装体を形成してもよい。また、第１折り目で２つ折りにした男性用失禁パッドを被覆シートに重ね、男性用失禁パッドの長手方向の両端縁より外方で被覆シートを折り返して、２つ折りにした男性用失禁パッドを被覆シートで挟んだ後、被覆シートを男性用失禁パッドとともに第２折り目で折り返して、男性用失禁パッド包装体を形成してもよい。このようにしても、男性用失禁パッド包装体を形成することが可能である。
【００６２】
図９には、男性用失禁パッド包装体の形成方法の他の例を示した。図９に示した男性用失禁パッド包装体３１（３１Ｃ）では、図５に示すように第１折り目２１と第２折り目２２で折り返された男性用失禁パッド１が、第１部分２３の外面側と第２部分２４の外面側を覆うように被覆シート３２で包まれている。つまり、男性用失禁パッド包装体３１Ｃは、４つ折りされた男性用失禁パッド１が被覆シート３２で包まれることにより形成されている。なお、男性用失禁パッド１を第２折り目２２で折り返す際、第３部分２５と第４部分２６の間に中間シート３０が挟み込まれてもよい。中間シート３０の詳細は後述する。男性用失禁パッド包装体３１Ｃでは、被覆シート３２が男性用失禁パッドの第１部分２３の外面側と第２部分２４の外面側のみを覆っている。
【００６３】
図９では、男性用失禁パッド包装体３１Ｃは、被覆シート３２が４つ折りされた男性用失禁パッド１を幅方向ｘに周回して包み、長手方向ｙの両端部（すなわち第２端縁３８と第４端縁４０）で被覆シート３２どうしを接着剤、熱融着、超音波融着等の公知の接合手段により接合することにより形成されている。なお図には示されていないが、男性用失禁パッド包装体３１Ｃは、被覆シート３２が４つ折りされた男性用失禁パッド１を長手方向ｙに周回して包み、幅方向ｘの両端部（すなわち第１端縁３７と第３端縁３９）で被覆シート３２どうしを接合手段により接合することにより形成されてもよい。また、４つ折りされた男性用失禁パッド１を２枚の被覆シート３２で挟んで、４つ折りされた男性用失禁パッド１の周りを囲んで被覆シート３２どうしを接合手段により接合して、男性用失禁パッド包装体３１Ｃを形成してもよい。
【００６４】
上記に説明した男性用失禁パッド包装体はいずれも、男性用失禁パッドが４つ折りされた状態で被覆シートに包まれている。本発明の男性用失禁パッド包装体は、この状態で被覆シートが長手方向に分離可能に形成されている。
【００６５】
図７〜図９では、被覆シート３２に切断可能線４１が形成され、これにより被覆シート３２が長手方向ｙに分離可能に形成されている。男性用失禁パッド包装体３１は、被覆シート３２を長手方向ｙに分離することで被覆シート３２が開封され、男性用失禁パッド１を被覆シート３２から取り出すことができる。この際、図１０（ａ）に示すように、男性用失禁パッド１の長手方向ｙの端部を被覆シート３２で挟んでつまみ、被覆シート３２を男性用失禁パッド１とともに長手方向ｙに引っ張って、被覆シート３２を長手方向ｙに分離することで、図１０（ｂ）に示すようにプリーツ部３を展開することができる。このように男性用失禁パッド包装体３１から男性用失禁パッド１を取り出すことにより、プリーツ部３を自然に展開することができ、これをさらに第２折り目２２と第１折り目２１で展開することにより、男性用失禁パッド１を容易にカップ状に形成することができる。
【００６６】
被覆シートは、男性用失禁パッド１を個別に（１つずつ）包装し、例えば、プラスチックフィルムや紙、布（不織布、織布、編布等）により構成される。なお、被覆シートと剥離可能な粘着部が男性用失禁パッドに設けられる場合は、被覆シートの男性用失禁パッドと面する側がプラスチックフィルムから構成されることが好ましい。具体的には、被覆シートはプラスチックフィルムから構成される、あるいは男性用失禁パッドと面する側がプラスチックフィルムから構成される積層体であることが好ましい。
【００６７】
被覆シートを長手方向に分離可能に形成するためには、図７〜図９に示すように被覆シート３２に切断可能線４１を設けてもよく、２以上の被覆シートを互いに非接着の状態で重ね合わせることにより形成してもよい。なお、男性用失禁パッドの使用前に、男性用失禁パッドが被覆シートによって確実に包装され、男性用失禁パッド包装体の取扱性や携帯性を高める点から、被覆シートに切断可能線を形成することにより、被覆シートが分離可能に形成されることが好ましい。
【００６８】
切断可能線は、例えば、被覆シートにミシン目を設けたり、被覆シート（熱可塑性のプラスチックフィルム製や熱可塑性繊維から構成される布製の被覆シートであることが好ましい）を部分的に加熱して脆弱化した部分を線状に設けたり、２以上の被覆シートを断続線状に互いに接着することにより形成することができる。
【００６９】
切断可能線４１は、被覆シート３２が男性用失禁パッド１を包んだ状態で、被覆シート３２が長手方向ｙに分離可能に形成されていればよく、切断可能線４１の配され方は特に限定されない。なお切断可能線４１は、少なくとも男性用失禁パッド１の第１部分２３と第２部分２４の外面側を覆う被覆シート３２の各面に形成されることが好ましい。切断可能線４１は、第１端縁３７から第３端縁３９にかけて延び、あるいは、第１端縁３７または第３端縁３９から第２端縁３８または第４端縁４０にかけて延び、あるいは第２端縁３８から第２端縁３８にかけて例えば半円弧状に延び、あるいは第４端縁４０から第４端縁４０にかけて例えば半円弧状に延びていることが好ましい。このように切断可能線４１が形成されていれば、被覆シート３２を長手方向ｙに引っ張ったときに、被覆シート３２を長手方向ｙに分離することができる。つまり、このように設けられた切断可能線４１は、いずれも被覆シート３２を長手方向ｙに分離可能にするものである。
【００７０】
図７および図８に示した男性用失禁パッド包装体３１Ａ，３１Ｂでは、切断可能線４１が第１端縁３７から第２端縁３８または第３端縁３９にかけて延びていることが好ましい。このように切断可能線４１が設けられていれば、被覆シート３２を長手方向ｙに引っ張って切断可能線４１で長手方向ｙに分離する際に、プリーツ部３を容易に展開することができる。なお図７および図８では、切断可能線４１が第１端縁３７から第３端縁３９にかけて延びている。
【００７１】
男性用失禁パッド包装体３１Ａ，３１Ｂでは、切断可能線４１が第１折り目２１を挟んだ一方側から他方側にかけて延びて形成されることが好ましい。すなわち、被覆シート３２の第１部分２３の外面側を覆う面を第１面３３とし、被覆シート３２の第２部分２４の外面側を覆う面を第２面３４とし、被覆シート３２の第３部分２５の外面側を覆う面を第３面３５とし、被覆シート３２の第４部分２６の外面側を覆う面を第４面３６としたとき、切断可能線４１が、被覆シート３２の第１面３３から第３面３５に延びて形成されるとともに、被覆シート３２の第２面３４から第４面３６に延びて形成されていることが好ましい。このように切断可能線４１が形成されていれば、被覆シート３２を長手方向ｙに引っ張る際に、切断可能線４１を挟んだ一方側を一方の手でつまむとともに、他方側を他方の手でつまむことができ、被覆シート３２を切断可能線４１で分離しやすくなる。また、男性用失禁パッド１を被覆シート３２から取り出すことが容易となる。
【００７２】
図９に示した男性用失禁パッド包装体３１Ｃでは、切断可能線４１が、第１端縁３７から第３端縁３９にかけて、あるいは、第１端縁３７または第３端縁３９から第２端縁３８または第４端縁４０にかけて延びていることが好ましい。このように切断可能線４１が設けられていれば、被覆シート３２を長手方向ｙに引っ張って切断可能線４１で長手方向ｙに分離する際に、プリーツ部３を容易に展開することができる。なお図９では、切断可能線４１が第１端縁３７から第３端縁３９にかけて延びている。
【００７３】
男性用失禁パッド包装体３１は、被覆シート３２を長手方向ｙに引っ張った際にプリーツ部３を展開しやすくするために、アウター部材２に、プリーツ部３よりも長手方向ｙの外方に粘着部７が設けられ、粘着部７が被覆シート３２と剥離可能に接合されていることが好ましい。このとき、切断可能線４１は、男性用失禁パッド１の粘着部７よりも長手方向ｙの内方に位置するように形成されていることが好ましい。つまり、男性用失禁パッド包装体３１は、第２端縁３８と第４端縁４０の間に粘着部７と切断可能線４１が配され、切断可能線４１が粘着部７よりも第２端縁３８の近くに位置することが好ましい。このように男性用失禁パッド包装体３１が形成されていれば、被覆シート３２を長手方向ｙに引っ張って切断可能線４１で分離する際、男性用失禁パッド１の長手方向ｙの端部、すなわち男性用失禁パッド１のプリーツ部３よりも長手方向ｙの外方部分が、被覆シート３２とともに長手方向ｙに引っ張られて、プリーツ部３が自然に展開されやすくなる。
【００７４】
なお、図９に示した男性用失禁パッド包装体３１Ｃでは、男性用失禁パッド１の第３部分２５の外面側および／または第４部分２６の外面側に粘着部が設けられる場合、第３部分２５と第４部分２６の間に粘着部と剥離可能な中間シート３０が設けられることが好ましい。図９では、プリーツ部３よりも長手方向ｙの外方に設けられた粘着部７が、男性用失禁パッド１の第１部分２３と第２部分２４の外面側に加え第３部分２５と第４部分２６の外面側にも設けられており、第３部分２５と第４部分２６の間に中間シート３０が設けられている。このように中間シート３０が設けられることにより、第３部分２５と第４部分２６とが粘着部によって互いに接着するのが防止される。このとき、粘着部は第３部分２５の外面側と第４部分２６の外面側の両方に設けられることが好ましく、その結果、被覆シート３２を男性用失禁パッド１とともに長手方向ｙに引っ張った際に、第３部分２５と第４部分２６を一体的に取り扱いやすくなり、プリーツ部３を容易に展開することができるようになる。中間シートは、粘着部と面する側がプラスチックフィルムから構成されることが好ましい。具体的には、中間シートはプラスチックフィルムから構成される、あるいは男性用失禁パッドと面する側がプラスチックフィルムから構成される積層体であることが好ましい。
【００７５】
プリーツ部３の展開操作を容易にするために、アウター部材２には、第２折り目２２の両側にプリーツ部３が各々設けられていることが好ましい。このようにプリーツ部３が設けられていれば、被覆シート３２を男性用失禁パッド１とともに長手方向ｙに引っ張った際に、男性用失禁パッド１の第２折り目２２を挟んだ両側がともに長手方向ｙに延びて、被覆シート３２を長手方向ｙに分離させながらプリーツ部３を展開することが容易になる。
【００７６】
被覆シート３２を開封する際、使用者は、男性用失禁パッド１の長手方向ｙの端部を被覆シート３２で挟んでつまみ、被覆シート３２を男性用失禁パッド１とともに長手方向ｙに引っ張るようにすることが好ましい。このように操作することにより、被覆シート３２の開封の際にプリーツ部３も同時に展開されやすくなる。従って、男性用失禁パッド包装体３１には、被覆シート３２を開封する際に使用者がつまむ部分が目印として示されていることが好ましい。目印は、被覆シート３２に設けたり、男性用失禁パッド１に設ければよい。
【００７７】
男性用失禁パッド１に目印が設けられる場合は、アウター部材２のプリーツ部３と長手方向ｙの端縁との間の部分に目印が設けられればよい。図１では、そのような目印として、目印８（クロスハッチングで表示されている部分）が男性用失禁パッド１に設けられている。目印８は、男性用失禁パッド１の目印８以外の部分と異なる色で示されていればよい。このとき、被覆シート３２は透明または半透明に形成され、男性用失禁パッド１の目印８が被覆シート３２を通して視認可能となっている。なお、被覆シート３２は、着色されていても無着色でもよい。
【００７８】
被覆シート３２に目印が設けられる場合は、男性用失禁パッド１のプリーツ部３と長手方向ｙの端縁との間の部分と重なる部分に目印が設けられればよい。このとき、目印は、被覆シート３２の目印以外の部分と異なる色で示されていればよい。あるいは、目印となる部分の手触りを他の部分と変える等して、目印を設けてもよい。
【００７９】
本発明の男性用失禁パッド包装体は、男性用失禁パッドに吸収体が備えられていても備えられていなくてもよいが、男性用失禁パッドに吸収体が備えられる場合は、吸収体は下記のように形成されることが好ましい。
【００８０】
吸収体１０は、図５に示されるように、アウター部材２の肌面側に備えられ、男性用失禁パッド１を第１折り目２１で折り返す際は、吸収体１０が内側になるように折り返されることが好ましい。そして、第１折り目２１で折り返された吸収体１０は、長手方向ｙの端縁近傍が第１折り目２１の両側で接合されていることが好ましい。図５では、接合部１３で、吸収体１０の長手方向ｙの端縁近傍が第１折り目２１の両側で接合されている。このように吸収体１０が形成されていれば、男性用失禁パッド１を男性用失禁パッド包装体３１から取り出して、男性用失禁パッド１の第１折り目２１と第２折り目２２を展開した際、吸収体１０がカップ状（船底状）に形成されて、吸収体１０の男性器へのフィット性を高めやすくなる。
【００８１】
吸収体１０の長手方向ｙの端縁近傍が第１折り目２１の両側で接合される場合、吸収体１０は肌面側で互いに接合される。また、長手方向ｙの端縁から２０ｍｍ以内の領域（好ましくは１５ｍｍ以内の領域）で吸収体１０どうしが接合されることが好ましい。さらに、第１折り目２１から１５ｍｍ以内の領域（好ましくは１０ｍｍ以内の領域）で吸収体１０どうしが接合されることが好ましい。吸収体１０どうしの接合は、接着剤や熱融着等の接合手段により行えばよい。
【００８２】
吸収体１０の長手方向ｙの端縁に切欠き１１が形成される場合は、第１折り目２１を跨いで切欠き１１が形成されることが好ましい。第１折り目２１を跨いで切欠き１１が形成されていれば、第１折り目２１を利用して吸収体１０をカップ状に形成しやすくなり、吸収体１０の男性器へのフィット性を高めることができる。
【符号の説明】
【００８３】
１：  男性用失禁パッド
２：  アウター部材
３：  プリーツ部
４：  山折り
５：  谷折り
７：  粘着部
１０：  吸収体
１１，１２：  切欠き
２１：  第１折り目
２２：  第２折り目
３０：  中間シート
３１：  男性用失禁パッド包装体
３２：  被覆シート
４１：  切断可能線
【図１】
2013158450.tif 000003
【図２】
2013158450.tif 000004
【図３】
2013158450.tif 000005
【図４】
2013158450.tif 000006
【図５】
2013158450.tif 000007
【図６】
2013158450.tif 000008
【図７】
2013158450.tif 000009
【図８】
2013158450.tif 000010
【図９】
2013158450.tif 000011
【図１０】
2013158450.tif 000012